(57)【要約】【課題】光センサを利用した液晶バックライトの自動調光装置においては、外光照度の変化に応じてバックライトが自動調光されるが、光センサ周囲のみが部分的に照度変化した場合でも自動調光されてしまい、室内の照度変化に合わせた動作が実現できなくなる。【解決手段】光センサ群１１１〜１１２は、液晶表示装置の筐体の液晶パネル表示面側に互いに距離を置いて、例えば液晶パネルの両側に設置され、外光照度を検知し、Ａ／Ｄコンバータ１２によりデジタル変換される。ＲＯＭ１４には、前記光センサ群１１１〜１１２のデジタル変換された外光照度データを比較し、両者が同程度に変化した時のみバックライト輝度が変化し、いずれかの変化が異常である時は、輝度が変化しないような演算プログラムが格納されており、演算装置１３とＲＡＭ１５により、一定時間毎に演算する。【選択図】図１
2005121997.tif 000002
【特許請求の範囲】
【請求項１】
液晶パネルと、バックライトと、第１の照度検知手段と、第２の照度検知手段とを有する液晶表示装置バックライト調光方法であって、
前記第１の照度検知手段が検知した照度と前記第２の照度検知手段が検知した照度とを所定の時間毎に記録する照度記録ステップと、
前記照度記録ステップで同一の時刻に記録した前記第１の照度検知手段が検知した照度と前記第２の照度検知手段が検知した照度の差分を算出する照度差分算出ステップと、
前記照度差分算出ステップで算出した差分が所定値より小さいか否かを判定する差分判定ステップと、
前記差分判定ステップで差分が所定値より小さいと前記第１の照度検知手段が検知した照度と前記第２の照度検知手段が検知した照度の一つ又は両方に基づいたバックライト調光を行い、前記差分判定ステップで差分が所定値以上であると直前のバックライト調光を維持することを特徴とする液晶表示装置バックライト調光方法。
【請求項２】
液晶パネルと、バックライトと、３つ以上の複数の照度検知手段とを有する液晶表示装置バックライト調光方法であって、
前記複数の照度検知手段が検知した照度を所定の時間毎に記録する照度記録ステップと、
前記照度記録ステップで同一の時刻に記録した複数の照度検知手段が検知した照度の最大値と最小値を求めてその最大値最小値差分を算出する照度差分算出ステップと、
前記照度差分算出ステップで算出した最大値最小値差分が所定値より小さいか否かを判定する差分判定ステップと、
前記差分判定ステップで差分が所定値より小さいと前記複数の照度検知手段が検知した照度の一つ以上に基づいたバックライト調光を行い、前記差分判定ステップで差分が所定値以上であると直前のバックライト調光を維持することを特徴とする液晶表示装置バックライト調光方法。
【請求項３】
前記照度差分算出ステップは、複数の照度検出手段から選ぶ２つの全ての組み合わせについて差分を順次計算し、前記差分が所定値を越えた時点で直前のバックライト調光を維持することを特徴とする請求項２記載の液晶表示装置バックライト調光方法。
【請求項４】
液晶パネルと、バックライトと、第１の照度検知手段と、第２の照度検知手段とを有する液晶表示装置バックライト調光方法であって、
前記第１の照度検知手段が検知した照度と前記第２の照度検知手段が検知した照度とを所定の時間毎に記録する照度記録ステップと、
前記照度記録ステップで同一の時刻に記録した前記第１の照度検知手段が検知した照度に対する前記第２の照度検知手段が検知した照度の比率を算出する照度比率算出ステップと、
前記照度比率算出ステップで算出した比率が所定範囲内にあるか否かを判定する比率判定ステップと、
前記比率判定ステップで比率が所定範囲内にあると前記第１の照度検知手段が検知した照度と前記第２の照度検知手段が検知した照度の一つ又は両方に基づいたバックライト調光を行い、前記比率判定ステップで比率が所定範囲外にあると直前のバックライト調光を維持することを特徴とする液晶表示装置バックライト調光方法。
【請求項５】
液晶パネルと、バックライトと、３つ以上の複数の照度検知手段とを有する液晶表示装置バックライト調光方法であって、
前記複数の照度検知手段が検知した照度を所定の時間毎に記録する照度記録ステップと、
前記照度記録ステップで同一の時刻に記録した複数の照度検知手段が検知した照度の最大値と最小値を求めてその最大値最小値比率を算出する照度比率算出ステップと、
前記照度比率算出ステップで算出した最大値最小値比率が所定範囲内にあるか否かを判定する比率判定ステップと、
前記比率判定ステップで比率が所定範囲内にあると前記複数の照度検知手段が検知した照度の一つ以上に基づいたバックライト調光を行い、前記比率判定ステップで比率が所定範囲外にあると直前のバックライト調光を維持することを特徴とする液晶表示装置バックライト調光方法。
【請求項６】
前記照度比率算出ステップは、複数の照度検出手段から選ぶ２つの全ての組み合わせについて比率を順次計算し、前記比率が所定値を越えた時点で直前のバックライト調光を維持することを特徴とする請求項５記載の液晶表示装置バックライト調光方法。
【発明の詳細な説明】
【技術分野】
【０００１】
本発明は、液晶表示装置のバックライトを外光照度の明暗に応じて自動調光する技術に関り、特に人や物の往来による影で、部分的に照度の変化する場所に設置された液晶表示装置に関るものである。
【背景技術】
【０００２】
液晶パネルで映像を快適に見ようとすると、人間の視覚特性上、周囲が明るいとパネル輝度を上げ、暗いと下げるものである。映像を見るとき、周囲照度が変わるたびに輝度調整するのは煩わしいものであり、自然光に対しては、気付かないうちに照度が変わり、見辛い輝度で見ていることもあり、延いては目が疲れたり、気分が悪くなったりすることもある。本発明で特に考慮しているのは、公共の場所や公共の乗り物等に設置され、人や物の往来による影で液晶パネル周囲の照度が部分的に下がったり、設置場所以外からの入射光で照度が部分的に上がったりすることである。
【０００３】
従来の液晶表示装置のバックライト自動調光方法としては、特許文献１と特許文献２が挙げられる。
【０００４】
図７は、特許文献１の光センサーを備えたバックライト自動調光方法の動作パターンである。外光は光センサの周囲外光照度であり、トリガー信号により、外光照度データが単位時刻Ｔ秒毎に取り込まれる。ａ（ｉ）は外光照度データ、ｂ（ｉ）輝度データである。具体的に説明をするため、前記ａ（ｉ）は、１〜８までの間で外光の強さに応じて１ステップずつ変化し、８に近いほど周囲は明るいとする。前記ｂ（ｉ）は、１〜８までの間でａ（ｉ）の大きさに応じて１ステップずつ変化し、８に近いほど輝度が高いとする。単位時刻毎に外光照度ａ（ｉ）を取り込み、１単位時刻前の外光照度ａ（ｉ−１）とデータ比較する。そして、ａ（ｉ）＝ａ（ｉ−１）なら、現時刻ａ（ｉ）に応じた輝度ｂ（ｉ）を設定し、ａ（ｉ）≠ａ（ｉ−１）なら、１単位時刻前の輝度ｂ（ｉ−１）を維持する。上記によると単位時刻以下の短期的照度変化に対しては、輝度変化しない。
【０００５】
特許文献２のバックライト自動調光方法は、液晶表示装置に複数の光センサを備え、検知した外光照度データの平均値を算出し、前記平均値に応じてバックライトを自動調光させるものである。
【特許文献１】特開平１０−２８２９２３号公報
【特許文献２】特開平９−１４６０７３号公報
【発明の開示】
【発明が解決しようとする課題】
【０００６】
公共の場所や公共の乗り物の中では、人や物の往来があったり、人が立ち止まったりと動きが頻繁であり、状況、時間帯等により程度も様々である。このような環境の中に液晶表示装置が設置され、人影等で液晶パネル付近の照度が変わった場合、前記背景技術では、設置した環境の明るさに対して、液晶パネルの輝度が不適切な状況も発生する。
【０００７】
特許文献１に記載のバックライト自動調光方法では、液晶パネル近辺に、例えば人が立ち止まって、数十秒〜数分程度、周辺照度が変化したときの輝度変化を避けるためには、照度変化時間に応じて照度取り込み単位時間を長くしなければならず、本来の照度変化の時に輝度変化のタイミングが大きくずれてしまう。
【０００８】
特許文献２に記載のバックライト自動調光では、液晶パネルに取付けられた複数の光センサーの外光照度平均値に応じた輝度が設定されるため、一部の光センサが変化する中では、平均化されるため変化程度は低くなるものの、輝度は変化してしまう。
【０００９】
本発明は、これらの人や物の往来があった場合等にそれをより適切に判定し、液晶パネルの輝度をより良く制御することを目的とする。
【課題を解決するための手段】
【００１０】
前記課題を解決するために、本発明の液晶表示装置バックライト調光方法は、液晶パネル表示面側の周囲に複数の光センサを互いに異なる位置に取付け、単位時間毎に外光照度データを取り込み、比較演算させる。前記比較演算の結果の数値が、所定値を超える時は、液晶パネル周囲の照度は部分的に変化しているとみなしバックライト調光させず、前記比較演算の結果の数値が、所定値内の時は、前記外光照度データを予め決められた演算手順により、バックライト調光制御の最適値を算出し、バックライトを自動調光させる。
【発明の効果】
【００１１】
本発明の液晶表示装置バックライト調光方法によると、液晶パネル周辺の照度が部分的に変化してもバックライト輝度は変化することなく、液晶パネルが設置された環境が一様に照度変化した時だけ、バックライトは周囲照度に応じて自動調光され、映像を見るために最適な環境を実現させることが出来る。
【発明を実施するための最良の形態】
【００１２】
以下、本発明の実施の形態を、図面を参照しながら説明する。
【００１３】
（実施の形態１）
図１、図２、図３を参照しながら、第１の実施の形態について、詳細な説明を行う。
【００１４】
図１は、第１の光センサ１１１と第２の光センサ１１２を有するバックライト自動調光付きの液晶表示装置のブロック図である。前記第１の光センサ１１１と前記第２の光センサ１１２は、外光照度を検知し、この外光照度はＡ／Ｄコンバータ１２により、外光照度デジタルデータに変換される。
【００１５】
前記外光照度デジタルデータは、演算装置１３に送られ、順次、ＲＡＭ１５に格納されながら、演算プログラムが格納されたＲＯＭ１４により、演算が実行される。そして、演算結果はＤ／Ａコンバータ１６に転送され、演算結果データに応じた調光電圧が出力される。前記調光電圧が、インバータ回路１７に印加された後、バックライト１８は調光され、液晶パネル１９は輝度調整される。
【００１６】
図２は、図１における液晶表示装置のバックライト調光方法のフローチャートである。ここで、ｉは時刻、ｊは光センサー番号、Ｎは光センサ数、Ｄｏ（ｉ）は時刻ｉにおけるバックライト調光デジタルデータ、ｘは時刻ｉ＝１におけるバックライト調光デジタルデータ（初期値）、Ｔは外光照度データ取り込み時間間隔、Ｄｉｎ（ｊ）（ｉ）は時刻ｉにおける光センサ１１（ｊ）の外光照度デジタルデータ、Ｄｉｎ１（ｉ）は時刻ｉにおける光センサ１１１の外光照度デジタルデータ、Ｄｉｎ２（ｉ）は時刻ｉにおける光センサ１１２の外光照度デジタルデータ、ｙは光センサーの照度差許容判定値である。
【００１７】
処理開始後、初期値ｉ＝１が設定され（Ｓ２０１）、バックライト調光デジタルデータの初期値Ｄｏ（１）＝ｘが設定され（Ｓ２０２）、第１の時刻に出力される（Ｓ２０３）。
【００１８】
ｉは＋１インクリメントされ、Ｔ秒間待った後（Ｓ２０４）、第２の時刻における前記光センサ１１１の外光照度デジタルデータＤｉｎ１（２）と前記光センサ１１２の外光照度デジタルデータＤｉｎ２（２）が図１の演算装置１３経由でＲＡＭ１５に格納される（Ｓ２０５〜Ｓ２０６）。
【００１９】
次に前記Ｄｉｎ１（２）と前記Ｄｉｎ２（２）の差を算出し、照度差許容判定値ｙと比較し判定する（Ｓ２０７）。
【００２０】
ステップＳ２０７の結果、前記照度差許容判定値ｙより大きければ、前記光センサ１１１〜１１２のいずれかの反応が異常であることを表し、１単位時刻前のバックライト調光デジタルデータＤｏ（１）を有効にし（Ｓ２０８）、前記照度差許容判定値ｙより小さければ、前記光センサ１１１〜１１２が一様に反応したと判断して、次のステップＳ２０９で（式１）に基づく前記光センサ１１１〜１１２の平均値
Ｄｏ（２）＝[Ｄｉｎ１（２）＋Ｄｉｎ２（２）]／２    （式１）
を算出する。
【００２１】
以上のようにバックライト調光デジタルデータＤｏ（ｉ）は、１単位時刻毎にＳ２０８またはＳ２０９のいずれかで処理され、図１のＤ／Ａコンバータ１６に転送され（Ｓ２１０）、Ｔ秒間、待った後（Ｓ２１１）、ステップＳ２０５に戻り、第３の時刻（ｉ＝３）において、ステップＳ２０５〜ステップＳ２１１を繰り返す。
【００２２】
以降、液晶表示装置の電源がオフになるまで、Ｓ２０５〜Ｓ２１１を繰り返す。
【００２３】
次に、図３は図１における液晶表示装置の入出力の一例を示す図であり、図１〜図２と合わせて、詳細を説明する。
【００２４】
外光１は図１の光センサ１１１の周囲外光照度であり、外光２は図１の光センサ１１２の周囲外光照度であり、図１の演算装置１３から出力されるトリガー信号により、外光照度デジタルデータが単位時刻Ｔ秒毎に前記演算装置１３経由でＲＡＭ１５に格納される。前記外光１の外光照度デジタルデータをＤｉｎ１（ｉ）と前記外光２の外光照度デジタルデータＤｉｎ２（ｉ）は、具体的に説明をするため、１〜８までの間で外光の強さに応じて１ステップずつ変化し、８に近いほど周囲は明るいとする。
【００２５】
時刻（１）では、図２のステップＳ２０２で、バックライト調光デジタルデータの初期値ｘに設定される。図３では、ｘ＝４として、Ｄｏ（１）＝４である。
【００２６】
時刻（２）では、図２のステップＳ２０７において、照度差許容判定値ｙ＝３とすると
｜Ｄｉｎ１（２）−Ｄｉｎ２（２）｜＝｜８−８｜＜３    （式２）
となって判定はＹＥＳとなり、ステップＳ２０９に進み、
Ｄｏ（２）＝[Ｄｉｎ１（２）＋Ｄｉｎ２（２）]／２＝（８＋８）／２＝８（式３）
が算出され、ステップＳ２１０でバックライト調光制御データとして出力される。
【００２７】
時刻（３）では、外光照度デジタルデータＤｉｎ１（３）とＤｉｎ２（３）を取り込んだ後、ステップＳ２０７で
｜Ｄｉｎ１（３）−Ｄｉｎ２（３）｜＝｜８−８｜＜３    （式４）
となって判定はＹＥＳとなり、ステップＳ２０９に進み、
Ｄｏ（３）＝[Ｄｉｎ１（３）＋Ｄｉｎ２（３）]／２＝（８＋８）／２＝８（式５）
が算出され、ステップＳ２１０でバックライト調光制御データとして出力される（Ｓ２１０）。
【００２８】
時刻（４）では、外光照度デジタルデータＤｉｎ１（４）とＤｉｎ２（４）を取り込んだ後、ステップＳ２０７で、
｜Ｄｉｎ１（４）−Ｄｉｎ２（４）｜＝｜８−３｜＞３    （式６）
となって、判定はＮＯであり、ステップＳ２０８で、
Ｄｏ（４）＝Ｄｏ（３）＝８    （式７）
の順に処理され、１単位時刻前と同じバックライト調光制御データが出力される（Ｓ２１０）。
【００２９】
時刻（５）では、外光照度デジタルデータＤｉｎ１（５）とＤｉｎ２（５）を取り込んだ後、ステップＳ２０７で
｜Ｄｉｎ１（５）−Ｄｉｎ２（５）｜＝｜８−１｜＞３    （式８）
となって、判定はＮＯであり、ステップＳ２０８に進み、
Ｄｏ（５）＝Ｄｏ（４）＝８    （式９）
の順に処理され、１単位時刻前と同じバックライト調光制御データ出力される（Ｓ２１０）。
【００３０】
時刻（６）では、外光２が元の状態に戻り、外光照度デジタルデータＤｉｎ１（６）とＤｉｎ２（６）を取り込んだ後、ステップＳ２０７で、
｜Ｄｉｎ１（６）−Ｄｉｎ２（６）｜＝｜８−８｜＜３    （式１０）
となり、判定はＹＥＳとなり、ステップＳ２０９に進み、
Ｄｏ(６)＝(Ｄｉｎ１(６)＋Ｄｉｎ２(６))／２＝(８＋８)／２＝８    （式１１）
の順に処理され、１単位時刻前と同じバックライト調光制御データが出力される（Ｓ２１０）。
【００３１】
時刻（７）では、外光照度デジタルデータＤｉｎ１（７）とＤｉｎ２（７）を取り込んだ後、ステップＳ２０７で、
｜Ｄｉｎ１（７）−Ｄｉｎ２（７）｜＝｜６−６｜＜３    （式１２）
となり、判定はＹＥＳとなり、ステップＳ２０９へ進み、
Ｄｏ(７)＝(Ｄｉｎ１(７)＋Ｄｉｎ２(７))／２＝(６＋６)／２＝６    （式１３）
の順に処理され、バックライト調光制御データが出力される（Ｓ２１０）。
【００３２】
時刻（８）では、外光照度デジタルデータＤｉｎ１（８）とＤｉｎ２（８）を取り込んだ後、ステップＳ２０７へ進み、
｜Ｄｉｎ１（８）−Ｄｉｎ２（８）｜＝｜１−１｜＜３    （式１４）
となって、判定はＹＥＳとなり、ステップＳ２０９へ進み、
Ｄｏ(８)＝[Ｄｉｎ１(８)＋Ｄｉｎ２(８)]／２＝(１＋１)／２＝１    （式１５）
の順に処理され、バックライト調光制御データが出力される（Ｓ２１０）。
【００３３】
時刻（９）では、外光照度デジタルデータＤｉｎ１（９）とＤｉｎ２（９）を取り込んだ後、ステップＳ２０７で、
｜Ｄｉｎ１（９）−Ｄｉｎ２（９）｜＝｜１−１｜＜３    （式１６）
となって、判定はＹＥＳとなり、ステップＳ２０９へ進み、
Ｄｏ(９)＝(Ｄｉｎ１(９)＋Ｄｉｎ２(９))／２＝(１＋１)／２＝１    （式１７）
の順に処理され、バックライト調光制御データが出力される（Ｓ２１０）。
【００３４】
なお、図２のステップＳ２０７は、２つの照度の差分をとって判定しているが、照度比Ｄｉｎ１（ｉ）／Ｄｉｎ２（ｉ）、照度比許容判定値下限ｙ１、照度比許容判定値下限ｙ２として
ｙ１ ＜ Ｄｉｎ１（ｉ）／Ｄｉｎ２（ｉ） ＜ ｙ２    （式１８）
に置きかえても同様の効果を奏する。
【００３５】
なお、ステップＳ２０９で、バックライト調光デジタルデータとして、２つの外光照度デジタルデータの平均値をとっているが、本ステップは２つの外光照度デジタルデータの差分が小さいときのフローであるから、代表してどちらか一つのデータを基にしても良い。
【００３６】
（実施の形態２）
図４、図５を参照しながら、第２の実施の形態について、詳細な説明を行う。
【００３７】
図４は、第１の光センサ４１１と第２の光センサ４１２と第３の光センサ４１３を有するバックライト自動調光付きの液晶表示装置のブロック図である。前記第１の光センサ４１１と前記第２の光センサ４１２と前記第３の光センサ４１３は、外光照度を検知し、この外光照度はＡ／Ｄコンバータ４２により、外光照度デジタルデータに変換される。
【００３８】
前記外光照度デジタルデータは、演算装置４３に送られ、順次、ＲＡＭ４５に格納されながら、演算プログラムが格納されたＲＯＭ４４により、演算が実行される。そして、演算結果はＤ／Ａコンバータ４６に転送され、演算結果データに応じた電圧が調光電圧として出力される。前記調光電圧が、インバータ回路４７に印加された後、バックライト４８は調光され、液晶パネル４９に画像が表示される。
【００３９】
図５は、図４における液晶表示装置のバックライト調光方法のフローチャートである。ここで、ｉは時刻、ｊは光センサー番号、Ｎは光センサ数、Ｄｏ（ｉ）は時刻ｉにおけるバックライト調光デジタルデータ、ｘは時刻ｉ＝１におけるバックライト調光デジタルデータ（初期値）、Ｔは外光照度データ取り込み時間間隔、Ｄｉｎ（ｊ）（ｉ）は時刻ｉにおける光センサ４１（ｊ）の外光照度デジタルデータ、Ｄｉｎ１（ｉ）は時刻ｉにおける光センサ４１１の外光照度デジタルデータ、Ｄｉｎ２（ｉ）は時刻ｉにおける光センサ４１２の外光照度デジタルデータ、Ｄｉｎ３（ｉ）は時刻ｉにおける光センサ４１３の外光照度デジタルデータ、ｙは光センサーの照度差許容判定値である。
【００４０】
処理開始後、初期値ｉ＝１が設定され（Ｓ５０１）、バックライト調光デジタルデータの初期値Ｄｏ（１）＝ｘが設定され（Ｓ５０２）、第１の時刻に出力される（Ｓ５０３）。
【００４１】
ｉは＋１インクリメントされ、Ｔ秒間待った後（Ｓ５０４）、第２の時刻における前記光センサ４１１〜４１３の外光照度デジタルデータＤｉｎ１（２）〜Ｄｉｎ３（２）が図４の演算装置４３経由でＲＡＭ４５に格納される（Ｓ５０５〜Ｓ５０６）。
【００４２】
次に前記Ｄｉｎ１（２）〜Ｄｉｎ３（２）の互いに異なる２つの差を順次、算出し、照度差許容判定値ｙと比較する（Ｓ５０７〜Ｓ５１２）。
【００４３】
ステップＳ５０７、Ｓ５０９、またはＳ５１１のうちいずれかが、前記照度差許容判定値ｙより大きければ、前記光センサ４１１〜４１３のいずれかの反応が異常であることを表し、１単位時刻前のバックライト調光デジタルデータＤｏ（ｉ−１）を有効にし（Ｓ５０８、Ｓ５１０、Ｓ５１２）、前記照度差許容判定値ｙより小さければ、前記光センサ４１１〜４１３が一様に反応したとして、次のステップＳ５１３で前記光センサ４１１〜４１３の平均値
Ｄｏ(２)＝[Ｄｉｎ１(２)＋Ｄｉｎ２(２)＋Ｄｉｎ３(２)]／３    （式１９）
を算出する。
【００４４】
以上のようにバックライト調光デジタルデータＤｏ（ｉ）は、１単位時刻毎にＳ５０８、Ｓ５１０、Ｓ５１２またはＳ５１３のいずれかに設定され、図４中のＤ／Ａコンバータ４６に転送され（Ｓ５１４）、Ｔ秒間、待った後（Ｓ５１５）、ステップＳ５０５に戻り、次に第３の時刻（ｉ＝３）において、ステップＳ５０５〜ステップＳ５１５を繰り返す。
【００４５】
以降、液晶表示装置の電源がオフになるまで、Ｓ５０５〜Ｓ５１５を繰り返す。
【００４６】
なお、Ｎ＝４，５，・・・と変化させ、ステップＳ５０７〜Ｓ５１２のように外光照度差を算出し、照度差許容判定値と比較するステップを増やすことにより、光センサーが４個以上の場合の処理も可能である。
【００４７】
また、本実施の形態において、図５中のステップＳ５０７、Ｓ５０９、Ｓ５１１を照度比Ｄｉｎ１（ｉ）／Ｄｉｎ２（ｉ）、Ｄｉｎ１（ｉ）／Ｄｉｎ３（ｉ）、Ｄｉｎ２（ｉ）／Ｄｉｎ３（ｉ）、照度比許容範囲値ｙ１、ｙ２とし、
ｙ１＜Ｄｉｎ１（ｉ）／Ｄｉｎ２（ｉ）＜ｙ２    （式２０）
ｙ１＜Ｄｉｎ１（ｉ）／Ｄｉｎ３（ｉ）＜ｙ２    （式２１）
ｙ１＜Ｄｉｎ２（ｉ）／Ｄｉｎ３（ｉ）＜ｙ２    （式２２）
に置き換えても同様の効果を奏する。
【００４８】
（実施の形態３）
図４、図６を参照しながら、第３の実施の形態について、詳細な説明を行う。
【００４９】
図６は、図４における液晶表示装置のバックライト調光方法のフローチャートである。ここで、ｉは時刻、ｊは光センサー番号、Ｎは光センサ数、Ｄｏ（ｉ）は時刻ｉにおけるバックライト調光デジタルデータ、ｘは時刻ｉ＝１におけるバックライト調光デジタルデータ（初期値）、Ｔは外光照度データ取り込み時間間隔、Ｄｉｎ（ｊ）（ｉ）は時刻ｉにおける光センサ４１（ｊ）の外光照度デジタルデータ、Ｄｉｎ１（ｉ）は時刻ｉにおける光センサ４１１の外光照度デジタルデータ、Ｄｉｎ２（ｉ）は時刻ｉにおける光センサ４１２の外光照度デジタルデータ、Ｄｉｎ３（ｉ）は時刻ｉにおける光センサ４１３の外光照度デジタルデータ、Ｄｍａｘ（ｉ）は時刻ｉにおけるＤｉｎ１（ｉ）〜Ｄｉｎ３（ｉ）のうちの最大値、Ｄｍｉｎ（ｉ）は時刻ｉにおけるＤｉｎ１（ｉ）〜Ｄｉｎ３（ｉ）のうちの最小値、ｙは光センサーの照度差許容判定値である。
【００５０】
処理開始後、初期値ｉ＝１が設定され（Ｓ６０１）、バックライト調光デジタルデータの初期値Ｄｏ（１）＝ｘが設定され（Ｓ６０２）、第１の時刻に出力される（Ｓ６０３）。
【００５１】
ｉは＋１インクリメントされ、Ｔ秒間、待った後（Ｓ６０４）、第２の時刻における前記光センサ４１１〜４１３の外光照度デジタルデータＤｉｎ１（２）〜Ｄｉｎ３（２）が図１の演算装置４３に取り込まれる（Ｓ６０５〜Ｓ６０６）。
【００５２】
次に前記Ｄｉｎ１（２）〜Ｄｉｎ３（２）のうちの最大値Ｄｍａｘ（２）と最小値Ｄｍｉｎ（２）の差を算出し、照度差許容判定値ｙと比較する（Ｓ６０７〜Ｓ６０９）。
【００５３】
前記照度差許容判定値ｙより大きければ、前記光センサ４１１〜４１３のいずれかの反応が異常であることを表し、１単位時刻前のバックライト調光デジタルデータＤｏ（１）を有効にし（Ｓ６１０）、前記照度差許容判定値ｙより小さければ、前記光センサ４１１〜４１３が一様に反応したとして、次のステップＳ６１１で前記光センサ４１１〜４１３の平均値
Ｄｏ（２）＝[Ｄｉｎ１（２）＋Ｄｉｎ２（２）＋Ｄｉｎ３（２）]／３（式２３）
を算出する。
【００５４】
以上のようにバックライト調光デジタルデータＤｏ（ｉ）は、１単位時刻毎にＳ６１０またはＳ６１１のいずれかに設定され、図４のＤ／Ａコンバータ４６に転送され（Ｓ６１２）、Ｔ秒間、待った後（Ｓ６１３）、ステップＳ６０５に戻り、次に第３の時刻（ｉ＝３）において、ステップＳ６０５〜ステップＳ６１３を繰り返す。
【００５５】
以降、液晶表示装置の電源がオフになるまで、Ｓ６０５〜Ｓ６１３を繰り返す。
【００５６】
なお、Ｎ＝４，５，・・・と変化させることにより、光センサーが４個以上の場合の処理も可能である。
【００５７】
なお、本実施の形態において、図６中のステップＳ６０９を照度比Ｄｍａｘ（ｉ）／Ｄｍｉｎ（ｉ）、照度比許容範囲値ｙ１、ｙ２とし、
ｙ１＜Ｄｍａｘ（ｉ）／Ｄｍｉｎ（ｉ）＜ｙ２    （式２４）
に置き換えても同様の効果を奏する。
【産業上の利用可能性】
【００５８】
以上のように、本発明にかかる液晶表示装置のバックライト自動調光は、液晶パネル周辺の照度が一様に変化した時のみバックライトが自動調光される機能を有し、人や物の往来等で液晶パネル周辺が部分的に照度変化する環境に設置される場合等に適する。
【図面の簡単な説明】
【００５９】
【図１】本発明の実施の形態１における液晶表示装置のブロック図
【図２】本発明の実施の形態１における液晶表示装置バックライト調光方法のフローチャート
【図３】本発明の実施の形態１における液晶表示装置の入出力の一例を示す図
【図４】本発明の実施の形態２および実施の形態３における液晶表示装置のブロック図
【図５】本発明の実施の形態２における液晶表示装置バックライト調光方法のフローチャート
【図６】本発明の実施の形態３における液晶表示装置バックライト調光方法のフローチャート
【図７】従来の液晶表示装置の入出力の一例を示す図
【符号の説明】
【００６０】
１２、４２  Ａ／Ｄコンバータ
１３、４３  演算装置
１４、４４  ＲＯＭ（Ｒｅａｄ  Ｏｎｌｙ  Ｍｅｍｏｒｙ）
１５、４５  ＲＡＭ（Ｒａｎｄｏｍ  Ａｃｃｅｓｓ  Ｍｅｍｏｒｙ）
１６、４６  Ｄ／Ａコンバータ
１７、４７  インバータ回路
１８、４８  バックライト
１９、４９  液晶パネル
１１１、１１２、４１１、４１２、４１３  光センサ
【図１】
2005121997.tif 000003
【図２】
2005121997.tif 000004
【図３】
2005121997.tif 000005
【図４】
2005121997.tif 000006
【図５】
2005121997.tif 000007
【図６】
2005121997.tif 000008
【図７】
2005121997.tif 000009